(57)【要約】【課題】口径の小さい小型スピーカーもしくはマイクロスピーカーにおいて、フレームに固定されるエッジ外周部ならびにフレームに設けられるフレーム平坦部の面積を十分に大きくすることができない場合であっても、十分な接着強度を得てエッジが剥がれるなどの問題を生じないようにする。【解決手段】本発明のスピーカーは、スピーカー振動板とスピーカーエッジとフレームを備えるスピーカーであって、スピーカーエッジが、スピーカー振動板の外周および／またはボイスコイルボビンと連結するエッジ可動部と、エッジ可動部から連続しフレームに固定されるエッジ外周第１固定部およびエッジ外周第２固定部からなるエッジ外周部とを有し、フレームが、エッジ第１固定部と連結するフレーム第１固定部と、エッジ第２固定部と連結するフレーム第２固定部とを有する。【選択図】　図１
2004032008.tif 000002
【特許請求の範囲】
【請求項１】
スピーカー振動板と、スピーカーエッジと、フレームと、ボイスコイルと、信号入力端子と、前記ボイスコイルと前記信号入力端子を接続する錦糸線とを備えるスピーカーであって、
該スピーカーエッジが、該スピーカー振動板の外周および／またはボイスコイルボビンと連結するエッジ可動部と、該エッジ可動部から連続し該フレームに固定されるエッジ外周部とを有し、
該エッジ外周部が、該スピーカ振動板の振動方向に対して略直角方向に延びたエッジ外周第１固定部と、該エッジ外周第１固定部に対して略直角方向に延びたエッジ外周第２固定部とからなり、
該フレームが、該エッジ第１固定部と連結するフレーム第１固定部と、該エッジ第２固定部と連結するフレーム第２固定部とを有する
スピーカー。
【請求項２】
前記錦糸線の前記信号入力端子側の端部が、前記スピーカーエッジの前記エッジ外周第２固定部により保持されている、請求項１に記載のスピーカー。
【発明の詳細な説明】
【０００１】
【発明の属する技術分野】
本発明は、スピーカー、特に口径の小さい小型スピーカーもしくはマイクロスピーカーに関する。
【０００２】
【従来の技術】
音声信号再生に用いられるスピーカーにおいて、スピーカーエッジは、スピーカー振動板が振動変位する際には適切に変形し、また、スピーカー振動板が制止している際には形状を維持してスピーカー振動板を支持する。スピーカー振動板、ボイスコイルおよびボイスコイルボビンからなるスピーカー振動系は、スピーカーエッジにより支持され、フレームに固定される。スピーカーエッジは、スピーカー振動系の振動変位に従って変形するエッジ可動部と、フレームに固定されるエッジ外周部とからなる。
【０００３】
図５（ａ）は、従来技術のスピーカーのスピーカーエッジ３付近の部分断面図である。スピーカーエッジ３は、エッジ可動部３１と、エッジ外周部３２とからなり、エッジ外周部３２は、フレーム４に設けられるフレーム平坦部４ａに接着固定される。口径の小さい小型スピーカーもしくはマイクロスピーカーにおいては、フレーム４に固定されるエッジ外周部３２ならびにフレーム４に設けられるフレーム平坦部４ａの面積を十分に大きくすることができない。そのため、接着固定するための接着剤の強度が弱いと十分な接着強度を得ることができずにスピーカーエッジ３が剥がれるなどの問題を生じる。
【０００４】
図５（ｂ）もまた、従来技術のスピーカーのスピーカーエッジ３付近の部分断面図である。スピーカーエッジ３は、エッジ可動部３１が柔らかい場合には、スピーカーエッジ３単体での形状保持が困難になるため、エッジ外周部３２の位置決めが困難になり、フレーム平坦部４ａに接着固定する際に接着ズレを生じやすい。その結果、小型スピーカーもしくはマイクロスピーカーにおいては、接着面積が少ないことも加わって少しの接着ズレでも接着強度が極端に弱くなる問題を生じる。
【０００５】
図５（ｃ）もまた、従来技術のスピーカーのスピーカーエッジ３付近の部分断面図である。この図は、十分な接着強度を確保するために必要な量よりも若干多い量の接着剤５が塗布されてはみ出している状態を表している。この場合には、エッジ外周部３２の最内周端部とフレーム４の間からはみ出した接着剤５が、エッジ可動部３１にまで及び、そして硬化する。その結果、スピーカーエッジ３の一部でエッジ可動部３１のスティフネスが変化する。従って、スピーカーエッジ３全周にわたってスティフネスのばらつきが生じ、特に小型スピーカーもしくはマイクロスピーカーでは動作不良になるという問題がある。
【０００６】
【発明が解決しようとする課題】
本発明は、上記の従来の技術が有する問題を解決するためになされたものであり、その目的は、フレームにスピーカーエッジを接着固定する際に、スピーカーエッジの剥がれや接着ズレを防止し、余剰の接着剤のはみ出しによる不良を生じないスピーカーを提供することにある。
【０００７】
【課題を解決するための手段】
上記の課題を解決するため、本発明では、次の技術的手段を講じている。
【０００８】
本発明のスピーカーは、スピーカー振動板と、スピーカーエッジと、フレームと、ボイスコイルと、信号入力端子と、前記ボイスコイルと前記信号入力端子を接続する錦糸線とを備えるスピーカーであって、前記スピーカーエッジが、前記スピーカー振動板の外周および／またはボイスコイルボビンと連結するエッジ可動部と、前記エッジ可動部から連続し前記フレームに固定されるエッジ外周部とを有し、前記エッジ外周部が、前記スピーカ振動板の振動方向に対して略直角方向に延びたエッジ外周第１固定部と、エッジ外周第１固定部に対して略直角方向に延びたエッジ外周第２固定部とからなり、前記フレームが、前記エッジ外周第１固定部と連結するフレーム第１固定部と、前記エッジ外周第２固定部と連結するフレーム第２固定部とを有する。
【０００９】
好ましい実施形態においては、前記錦糸線の前記信号入力端子側の端部は、前記スピーカーエッジの前記エッジ外周第２固定部により保持されている。
【００１０】
以下、本発明の作用について説明する。
【００１１】
本発明によれば、スピーカーエッジのエッジ外周部が、スピーカ振動板の振動方向に対して略直角方向に延びたエッジ外周第１固定部と、エッジ外周第１固定部に対して略直角方向に延びたエッジ外周第２固定部とからなるので、エッジ外周第１固定部がフレーム平坦部に設けられるフレーム第１固定部に接着固定されるのに加え、エッジ外周第２固定部がフレーム第１固定部に対して略直角に設けられるフレーム第２固定部に接着固定される。従って、口径の小さい小型スピーカーもしくはマイクロスピーカーにおいて、フレームに固定されるエッジ外周部ならびにフレームに設けられるフレーム平坦部の面積を十分に大きくすることができない場合であっても、十分な接着強度を得てエッジが剥がれるなどの問題を生じない。
【００１２】
さらに、上記エッジ外周第２固定部を設けることにより、エッジ可動部の材料が柔らかい場合であっても、エッジ外周第２固定部がリブとして機能するのでスピーカーエッジ単体での形状保持が良好となる。加えて、エッジ外周第１固定部とフレーム第１固定部、エッジ外周第２固定部とフレーム第２固定部４ｂとが、互いに適合する関係になっているので、エッジ外周部を接着固定する際に容易に位置決めが可能となる。従って、口径の小さい小型スピーカーもしくはマイクロスピーカーにおいて、接着面積が少ない場合であってもエッジ外周部の接着の際に接着ズレを生じにくく、十分な接着強度を保つことができる。
【００１３】
さらに、エッジ外周部が、エッジ外周第１固定部およびエッジ外周第２固定部を有することにより、十分な接着強度を確保するために必要な接着剤よりも若干多い量の接着剤が塗布されて接着剤がはみ出した場合でも、接着剤はエッジ外周第２固定部の最下端部とフレーム第２固定部との間からはみ出すので、はみ出した接着剤がエッジ可動部にまで及んで硬化することが無い。従って、スピーカーエッジのスティフネスのばらつきが生じにくく、特に小型スピーカーもしくはマイクロスピーカーでの動作不良を防ぐことができる。
【００１４】
さらに、本発明によれば、エッジ外周第２固定部の最下端部によって、錦糸線の信号入力端子側の端部を保持することにより、錦糸線がスピーカーエッジに接触するのを防止し、その結果、異音の発生を防止することができる。より詳細には、以下の通りである。錦糸線は、一端が信号入力端子に接続され、他端がボイスコイルに接続されることにより、信号入力端子とボイスコイルとを電気的に接続するものであり、スピーカーエッジおよびスピーカー振動板の下側の空間に配線されている。上記空間は、小型スピーカーもしくはマイクロスピーカーでは狭小で、しかもスピーカーエッジの下側であるので、スピーカー製造時に錦糸線の配線形態を整えることは容易ではない。本発明においては、エッジ外周第２固定部の長さを適切に調整することにより、スピーカーエッジのエッジ外周部を接着固定する際に、錦糸線の信号入力端子側の端部をスピーカー振動板およびスピーカーエッジと接触することが無いように押し下げた位置で保持することができる。以上のように、エッジ外周第２固定部によって錦糸線の信号入力端子側の端部を保持することにより、錦糸線がスピーカー振動板およびスピーカーエッジと接触して異音を発する等の不良を生じないようにすることができる。さらに、本発明によれば、スピーカー製造時にスピーカーエッジのエッジ外周部を接着固定することにより、エッジ外周第２固定部が自ずとスピーカーエッジの下側に位置する錦糸線の配線形態を整えることになるので、スピーカーの製造過程における錦糸線の配線形態を整える作業を減らすことができ、製造効率を向上することができる。
【００１５】
【発明の実施の形態】
以下、本発明の好ましい実施形態によるスピーカーについて説明するが、本発明はこれらの実施形態には限定されない。
【００１６】
図１は、本発明の好ましい実施形態によるスピーカー１の側面図および断面図である。図２は、本発明の好ましい実施形態によるスピーカーエッジ３付近の部分断面拡大図である。このスピーカー１は、スピーカー振動板２と、スピーカーエッジ３と、フレーム４と、ボイスコイルボビン６と、ボイスコイル７と、信号入力端子８と、錦糸線９と、磁気回路１０とを備える。信号入力端子８に加えられた電気音声信号は、錦糸線９を介して磁気回路１０内に配置されたボイスコイル７に加えられ、スピーカー振動板２、ボイスコイル７およびボイスコイルボビン６からなるスピーカー振動系の機械振動に変換されることにより音波を生じる。なお、スピーカー振動板２の振動方向は、図１および図２に例示された本発明の実施形態では、図１および図２の上下方向である。
【００１７】
図１および図２に例示された本発明の実施形態においては、スピーカーエッジ３は、エッジ可動部３１の形状が上向きのロールからなるアップロールエッジである。スピーカーエッジ３は、スピーカー振動板２の外周およびボイスコイルボビン６と連結するエッジ可動部３１と、エッジ可動部３１から連続しフレーム４に固定されるエッジ外周部３２とを有する。エッジ外周部３２は、スピーカ振動板２の振動方向に対して略直角方向に延びたエッジ外周第１固定部３２ａと、エッジ外周第１固定部に対して略直角方向に延びたエッジ外周第２固定部３２ｂとからなり、エッジ可動部３１とエッジ外周部３２は連続して成形されている。エッジ可動部３１は、スピーカー振動系が静止している際には形状を維持してスピーカー振動系を支持し、また、スピーカー振動系が振動変位する際には適切に変形して良好な音響再生を可能とする。エッジ外周部３２は、接着剤５により、エッジ外周第１固定部３２ａがフレーム４のフレーム平坦部に設けられるフレーム第１固定部４ａに接着固定され、エッジ外周第２固定部３２ｂがフレーム平坦部に対して略直角に設けられるフレーム第２固定部４ｂに接着固定される。
【００１８】
本実施形態によれば、エッジ外周第２固定部３２ｂがリブとして機能するので、エッジ可動部３１が柔らかい場合であってもスピーカーエッジ３単体での形状保持が良好となる。また、エッジ外周第１固定部３２ａがフレーム第１固定部４ａと、エッジ外周第２固定部３２ｂがフレーム第２固定部４ｂと、互いに適合する関係になっているので、スピーカーエッジ３をフレーム４に接着固定する際の位置決めが容易になる。従って、エッジ外周部３２の接着の際に接着ズレを生じにくく、十分な接着強度を保つことができ、口径の小さい小型スピーカーもしくはマイクロスピーカーにおいて接着面積が少ない場合であってもスピーカーエッジが剥がれるなどの問題を生じない。
【００１９】
図２において、接着剤５は、十分な接着強度を確保するために必要な量よりも若干多い量が塗布されて、エッジ外周第２固定部３２ｂの最下端部とフレーム４との間からはみ出して硬化している。本発明の実施形態においては、はみ出した余剰の接着剤５は、エッジ可動部３１にまで及んで硬化することがない。従って、スピーカーエッジ３のスティフネスのばらつきが生じにくく、特に小型スピーカーもしくはマイクロスピーカーでの動作不良を防ぐことができる。
【００２０】
エッジ外周第１固定部３２ａおよびエッジ外周第２固定部３２ｂのそれぞれの長さは、どちらが長くてもよい。好ましくは、長さの比は、１：１０から１０：１の範囲内、さらに好ましくは１：３から３：１の範囲である。エッジ外周第２固定部３２ｂは、エッジ外周部３２のリブとして機能するので、その長さは実施可能な範囲で長いほどよい。また、フレーム第１固定部４ａの長さおよびフレーム第２固定部４ｂの長さは、それぞれ、エッジ外周第１固定部３２ａの長さおよびエッジ外周第２固定部３２ｂの長さよりも長く設けられればよい。
【００２１】
図３は、本発明の他の好ましい実施形態におけるスピーカーエッジ３付近の部分拡大断面図である。本実施形態においては、エッジ外周部３２は、エッジ外周第１固定部３２ａとエッジ外周第２固定部３２ｂとを接続する部分が、曲面３２ｃを規定している。スピーカーエッジ３が曲面３２ｃを規定することに対応して、フレーム第１固定部４ａとフレーム第２固定部４ｂとを接続する部分は、曲面３２ｃと適合する曲面４ｃを規定している。フレーム４に設けられた曲面４ｃは、スピーカーエッジ３をフレーム４に接着固定する際に、エッジ外周第２固定部３２ｂをフレーム第２固定部４ｂへと導き位置決めするガイドとして機能する。従って、スピーカーエッジ３をフレーム４に接着固定する作業が容易になる。更に、フレーム４は、フレーム平坦部からエッジ外周第２固定部３２ｂのリブの高さ分だけ低い位置に設けられた平面４ｄにより、フレーム第２固定部４ｂを規定する。その結果、断面形状においてエッジ外周部３２とフレーム４は、エッジ外周第１固定部３２ａがフレーム第１固定部４ａと、エッジ外周第２固定部３２ｂがフレーム第２固定部４ｂと、曲面３２ｃがフレーム４の曲面４ｃと、互いに適合する関係となり、接着剤により接着固定される。従って、本発明の口径の小さい小型スピーカーもしくはマイクロスピーカーにおいて、接着面積が少ない場合であってもエッジ外周部の接着の際に接着ズレを生じにくく、十分な接着強度を保つことができ、スピーカーエッジが剥がれるなどの問題を生じない。
【００２２】
図３において、接着剤５は、十分な接着強度を確保するために必要な量よりも若干多い量が塗布されて、エッジ外周第２固定部３２ｂの最下端部とフレームの平面４ｄとの間からはみ出して硬化している。このようにフレーム４に平面４ｄが設けられている場合であっても、エッジ外周第２固定部３２ｂが適切な長さを有するため、フレーム４の平面４ｄからはみ出した接着剤５がエッジ可動部３１にまで及んで硬化することが無い。従って、スピーカーエッジのスティフネスのばらつきが生じにくく、特に小型スピーカーもしくはマイクロスピーカーでの動作不良を防ぐことができる。
【００２３】
図４（ａ）は、本発明の好ましい実施形態におけるスピーカーエッジ３付近の拡大部分断面図であって、錦糸線９の信号入力端子８側の端部が、スピーカーエッジ３のエッジ外周第２固定部３２ｂの最下端部により保持されている状態を表す図である。また、図４（ｂ）は、本発明のスピーカーのスピーカー振動板２およびスピーカーエッジ３およびボイスコイルボビン６および錦糸線９を振動板下側、つまり、磁気回路１０側から見た部分断面図であって、錦糸線９が、スピーカーエッジ３の下側の空間に配線されている状態を表す図である。本実施形態によれば、スピーカーエッジ３のエッジ外周部３２を接着固定する際に、エッジ外周第２固定部３２ｂの最下端部が、錦糸線９の信号入力端子８側の端部をスピーカーエッジ３と接触することが無いように押し下げた位置で保持する。従って、錦糸線９は、スピーカーエッジ３と接触することがなくなり、本発明のスピーカーは、異音を発する不良を低減することができる。
【００２４】
図４（ａ）において、エッジ外周第２固定部３２ｂの最下端部とフレーム４との間からはみ出している余剰の接着剤５は、硬化して錦糸線９の信号入力端子８側の端部をエッジ外周第２固定部３２ｂに固定する。従って、錦糸線９は、エッジ外周第２固定部３２ｂの最下端部で押圧された後に接着剤５で固定されるので、振動するスピーカー振動板２およびスピーカーエッジ３と接触することがなくなる。従って、本発明のスピーカーは、異音を発する不良を生じない。さらに、本発明のスピーカーでは、錦糸線９の信号入力端子８側の端部が接着剤５で固定されて動くことがないので、スピーカーの動作が繰り返された後においても異音を発する不良を生じないで使用を続けることができる。
【００２５】
上記の実施形態の説明において、スピーカーエッジ３は、スピーカー振動板２およびボイスコイル７およびボイスコイルボビン６からなるスピーカー振動系を支持すればよいため、エッジ可動部３１は、その内周部において図１に例示された実施形態のようにスピーカー振動板２の外周およびボイスコイルボビン６と連結してもよく、その内周部においてスピーカー振動板２の外周と連結してもよい。
【００２６】
本発明は、任意の適切なスピーカーに適用され得るが、本発明の効果が特に顕著なのは、口径の小さい小型スピーカーもしくはマイクロスピーカー、例えば口径が１０ｃｍ以下のスピーカー、望ましくは口径が５ｃｍ以下のスピーカーである。本発明の好ましい実施形態によるスピーカーの振動板形状は円形に限られず、楕円型もしくはトラック型等の振動板の幅が一部狭いものでもよい。また、磁気回路１０の構成は図示した内磁型に限られるものではなく、外磁型でもよい。
【００２７】
【発明の効果】
本発明によれば、スピーカーエッジのエッジ外周部に、エッジ外周第１固定部と、エッジ外周第２固定部とを設け、フレームに、エッジ第１固定部と、フレーム第２固定部と設けることにより、フレームにスピーカーエッジを接着固定する際に、スピーカーエッジの剥がれや接着ズレを防止し、余剰の接着剤のはみ出しによる不良を生じないスピーカーを提供することができる。加えて、本発明によれば、錦糸線とスピーカー振動板およびスピーカーエッジとが接触して異音を発する不良を低減することができる。
【図面の簡単な説明】
【図１】本発明のスピーカーの側面図および断面図である。
【図２】本発明の好ましい実施形態のスピーカーエッジ付近の拡大部分断面図である。
【図３】本発明の他の好ましい実施形態のスピーカーエッジ付近の拡大部分断面図である。
【図４】本発明の好ましい実施形態のスピーカーエッジ付近の拡大部分断面図および振動板下側から見た部分断面図である。
【図５】従来技術のスピーカーのスピーカーエッジ付近の拡大部分断面図である。
【符号の説明】
１　　　スピーカー
２　　　スピーカー振動板
３　　　スピーカーエッジ
３１　　エッジ可動部
３２　　エッジ外周部
３２ａ　エッジ外周第１固定部
３２ｂ　エッジ外周第２固定部
３２ｃ　エッジ外周部の曲面
４　　　フレーム
４ａ　　フレーム第１固定部またはフレーム平坦部
４ｂ　　フレーム第２固定部
４ｃ　　フレームの曲面
４ｄ　　フレームの平面
５　　　接着剤
６　　　ボイスコイルボビン
７　　　ボイスコイル
８　　　信号入力端子
９　　　錦糸線
１０　　磁気回路
【図１】
2004032008.tif 000003
【図２】
2004032008.tif 000004
【図３】
2004032008.tif 000005
【図４】
2004032008.tif 000006
【図５】
2004032008.tif 000007